(57)【特許請求の範囲】
【請求項１】
ケースと、
前記ケース内に位置する回路基板と、
インタフェースと、
指紋認証器と、
を備え、
前記ケースが、穴部を有し、
前記インタフェースが、前記穴部を通過し、
前記インタフェースが、前記回路基板と接続され、
前記指紋認証器が、前記ケース内に配置され、前記ケース内の前記回路基板にあるプロセッサと接続されており、
スライドカバーをさらに備え、
前記スライドカバーが、前記ケースに配置され、
前記指紋認証器が、前記スライドカバーの下に隠され、
前記スライドカバーを前記ケースに対してスライドさせた後、前記指紋認証器が外気にさらし、
前記ケースが、上ケース及び下ケースを備え、
前記上ケースが、そこに開口するキャビティを有し、
前記指紋認証器が、前記キャビティ内に配置され、
前記指紋認証器が、前記ケース内の前記回路基板にある前記プロセッサと接続され、
前記上ケースが、そこに開口するスライドトラックスロットを有し、
前記スライドカバーが、その２つの側面において突出するスライドバーを有し、
前記スライドバーが、前記スライドトラックスロット内に埋め込まれ、
前記スライドカバーが前記上ケースに対してスライドすると、前記スライドバーが、前記スライドトラックスロットに対してスライドし、
ボタン及び接続基部をさらに備え、
前記下ケースが、それぞれその内側側面において開口する第１スライドスロットを有し、
前記上ケースが、そこに開口するスライドスロットを有し、
前記上ケースが、そこに開口する受容スロットを有し、
前記受容スロットが、前記スライドスロットの２つの端部に位置し、
前記接続基部が、基部と、前記基部の２つの側面に沿って外方に突出するスライドレールと、を備え、
前記基部が、そこに開口する弾性リブを有し、
前記弾性リブが、そこに突出するバンプを有し、
前記ボタンが、前記バンプに配置され、
前記スライドカバーが、そこに開口する穴部を有し、
前記ボタンが、前記スライドスロットを貫通し、前記スライドカバーの前記穴部内に位置し、
前記バンプが、前記スライドスロットの端部において前記受容スロットに受け入れられ、
前記スライドレールが、前記第１スライドスロット内にスライド可能に配置されていることを特徴とする指紋認証データカード。
【請求項２】
前記インタフェースと接続される前記回路基板が、前記接続基部において固定的に配置されていることを特徴とする請求項１に記載の指紋認証データカード。
【請求項３】
前記インタフェースが、ＰＣＭＣＩＡインタフェース、ＵＳＢインタフェース、ＥＸＰＲＥＳＳ３４インタフェース及びＣＦインタフェースのいずれか１つであることを特徴とする請求項１または２に記載の指紋認証データカード。
【請求項４】
前記プロセッサが、指紋認証モジュール及び制御モジュールを備え、
前記指紋認証モジュールが、収集した指紋情報を記録されている指紋テンプレートと比較し、比較結果を出力するように構成されており、
前記制御モジュールが、収集した指紋情報が指紋テンプレートと一致したときに、データカードを使用してネットワークにアクセスすることを許可するように構成されていることを特徴とする請求項１から３のいずれか１項に記載の指紋認証データカード。
【請求項５】
前記指紋認証器が、指紋情報を収集するように構成されていることを特徴とする請求項４に記載の指紋認証データカード。
【発明の詳細な説明】
【技術分野】
【０００１】
本願は、「指紋認証データカード及び電子デバイス」と題された、２００９年１２月３日に出願した中国特許出願第２００９２０２６１１６７．８号の優先権を主張し、この全ては、参考として本明細書に組み込まれる。
【０００２】
本発明は、通信技術の分野に、より詳細には指紋認証データカード及び電子デバイスに関連する。
【背景技術】
【０００３】
モバイル通信技術の迅速な発展に伴って、無線ネットワークアクセスのようなデータサービスは、成熟し、無線データカードのような無線ネットワークアクセスのための携帯可能かつ小型の端末装置は、より注目を集め、人気がより出ている。無線データカードは、電源によって充電される必要がなく、給電するためにノートブックコンピュータまたはデスクトップコンピュータにあるユニバーサルシリアルバス（ＵＳＢ）ポートに直接差し込まれる。ユーザは、ネットワークケーブルを必要とせずに無線インターネットアクセスを介したデータサービスのための加入者識別モジュール（ＳＩＭ）カードを必要とするだけであり、いつでもどこでもインターネットサーフィンを楽しめる。
【０００４】
現在使用されているデータカードは、ユーザにパスワードを入力することを要求し、認証を経た後、データカードを使用する。
【発明の概要】
【発明が解決しようとする課題】
【０００５】
しかしながら、ユーザによって入力されるパスワードが一般的に数字であり、この数字が容易に解読されかつ安全性が低いため、現在のデータカードは、安全性に関して欠点を有する。
【０００６】
したがって、本発明の形態は、ネットワークセキュリティにアクセスすることが可能な指紋認証データカードを対象とする。
【課題を解決するための手段】
【０００７】
一形態において、本発明は、指紋認証データカードを提供する。データカードは、ケース、ケース内に位置する回路基板、インタフェース及び指紋認証器を有する。ケースは、穴部を有し、インタフェースは、穴部を通過し、回路基板と接続され、指紋認証器は、ケース内に配置され、ケース内の回路基板にあるプロセッサと接続される。
【０００８】
一形態において、本発明は、電子デバイスをさらに提供する。電子デバイスは、データカードを有し、データカードは、ケース、ケース内に位置する回路基板、インタフェース及び指紋認証器を有する。ケースは、穴部を有し、インタフェースは、穴部を通過し、インタフェースは、回路基板と接続され、指紋認証器は、ケース内に配置され、ケース内の回路基板にあるプロセッサと接続され、データカードは、インタフェースを介して電子デバイスと接続される。
【０００９】
上述から分かることは、データカードを使用する前に、ユーザが、指紋認証器を介して指紋を入力する必要があり、ユーザが、認証を経た後にのみデータカードを使用できることである。指紋認証の安全性は、パスワード認証の安全性よりもずっと高く、データカードの使用の安全性は、さらに改善される。
【００１０】
本発明の実施形態における技術的解決法を示すため、実施形態を説明するための添付の図面は、以下で簡単に紹介する。明らかに、以下の説明における添付の図面は、本発明のいくつかの実施形態のみであり、当業者は、創造的な活動をすることなく添付の図面から他の図面を導出してもよい。
【図面の簡単な説明】
【００１１】
【図１】本発明の一実施形態における指紋認証データカードを示す立体構造図である。
【図２】本発明の一実施形態における指紋認証データカードを示す構造図であって、指紋認証器がスライドカバーの下に隠されている、構造図である。
【図３】本発明の一実施形態における指紋認証データカードの第１実施形式を示す構造図である。
【図４】本発明の一実施形態における指紋認証データカードの第２実施形式を示す構造図である。
【図５】本発明の一実施形態における指紋認証データカードの第２実施形式における接続基部を示す立体構造図である。
【図６】本発明の一実施形態における指紋認証データカードの第２実施形式を示す構造図であって、インタフェースがケース内に引き込まれている、構造図である。
【図７】図６における指紋認証データカードを示す構造図であって、インタフェースが穴部から外に延出している、構造図である。
【図８】本発明の一実施形態における指紋認証データカードの第３実施形式を示す構造図である。
【図９】本発明の一実施形態における指紋認証データカードの回路基板におけるプロセッサを示す構造図である。
【発明を実施するための形態】
【００１２】
本発明に基づく技術的な解決法は、添付の図面を参照して以下で詳述される。明らかに、後述の実施形態は、本発明の全ての実施形態に及ばず、例示的な目的のみのためである。当業者は、創造的な活動をすることなく本明細書の実施形態から他の実施形態を導出してもよく、全てのこのような実施形態は、本発明の保護範囲で保護される。
【００１３】
図１、図３、図４及び図９は、本発明の一実施形態における指紋認証データカードを示す立体構造図である。図１、図３、図４及び図９を参照すると、データカード１００は、ケース２０、ケース２０内に位置する回路基板２１、インタフェース４０及び指紋認証器６０を有する。ケース２０は、穴部２６を有し、インタフェース４０は、穴部２６を通過し、インタフェース４０は、回路基板２１と接続され、指紋認証器６０は、ケース２０内に配置されかつケース２０内の回路基板にあるプロセッサ９０と接続されている。
【００１４】
上述から分かることは、データカードを使用する前に、ユーザが、指紋認証器を介して指紋を入力する必要があり、ユーザが、認証を経た後にのみデータカードを使用できることである。指紋認証の安全性がパスワード認証の安全性よりも高いので、データカードを使用する安全性は、より改善される。
【００１５】
留意すべきことは、回路基板が、説明においてすなわちインタフェース４０と接続される回路基板２１とプロセッサを有する回路基板とに対して言及されているが、２つの回路基板が全体的であってもよい、すなわちインタフェース４０と接続される回路基板とプロセッサを有する回路基板とが、同一の回路基板であってもよいことである。明確には、インタフェース４０と接続される回路基板２１とプロセッサを有する回路基板とは、２つの回路基板であってもよく、２つの回路基板は、本発明を限定しない可撓性回路基板を介して接続されている。
【００１６】
さらに、再び図１を参照すると、データカード１００は、スライドカバー８１をさらに有し、スライドカバー８１は、ケース２０に配置されている。図２を参照すると、指紋認証器６０は、スライドカバー８１の下に隠されている。スライドカバー８１をケース２０に対してスライドさせた後、指紋認証器６０は、図１に示すように、外気にさらされる。
【００１７】
分かることは、スライドカバー８１をケース２０に配置することを介して、データカードを使用しないときにスライドカバー８１が指紋認証器６０を遮蔽し、ユーザが指紋を入力する必要があるときにスライドカバー８１をスライドして指紋認証器６０を外気にさらし、ユーザが指紋を入力できることである。したがって、ユーザがデータカードを使用しないときに、指紋認証器６０をスライドカバー８１の下に隠し、このため、指紋認証器６０に塵埃が入ることを防止する。
【００１８】
図１、図３または図４を参照すると、ケース２０は、上ケース２２及び下ケース２４を有する。上ケース２２は、そこに開口したキャビティ２２５を有し、指紋認証器６０は、キャビティ２２５内に配置され、ケース２０内の回路基板にあるプロセッサと接続される。
【００１９】
スライドカバー８１は、ケース２０上に配置され、指紋認証器６０は、スライドカバー８１の下に隠されており、スライドカバー８１をケース２０に関してスライドさせると、指紋認証器６０は、外気にさらす。具体的には、実施方法は、以下のとおりである。
【００２０】
実施方法１
再び図３を参照すると、上ケース２２は、そこに配置されたスライドスロット２２２を有し、スライドカバー８１は、その表面に突出するスライドブロック８１１を有し、スライドブロック８１１は、スライドスロット２２２に位置し、スライドブロック８１１は、スライドスロット２２２に沿ってスライド可能である。
【００２１】
スライドスロット２２２は、斜め下方に開口し、スライドブロック８１１がスライドスロット２２２から外へスライドすることを防止する。理解すべきことは、スライドスロット２２２が斜め下方に開口するスライドスロットまたは真っ直ぐ下方に開口するスライドスロットであってもよく、本発明をそこに限定しないことである。
【００２２】
実施方法２
再び図４を参照すると、データカード１００は、ボタン３０及び接続基部５０をさらに有し、下ケース２４は、それぞれ内側面で開口する第１スライドトラック２４１を有する。図５は、接続基部を示す立体構造図である。図５を参照すると、接続基部５０は、基部５２と、基部５２の２つの側面に沿って下方に突出するレール５４と、を有し、スライドレール５４は、第１スライドトラック２４１内でスライドする。基部５２は、そこに開口する弾性リブ５６を有し、弾性リブ５６は、そこに突出するバンプ５６１を有し、ボタン３０は、バンプ５６１に配置される（具体的には、突出点５６２は、バンプ５６１上に配置され、ボタン３０は、突出点５６２に配置される）。弾性リブ５６の２つの側面において、小穴部５２４は、基部５２に開口している。
【００２３】
図４を参照すると、上ケース２２は、そこに開口する２つの第２スライドトラック２２１を有し、スライドカバー８１は、その表面の２つの端部において２つのスライドブロック８１１を有し、スライドブロック８１１は、第２スライドトラック２２１内をスライド可能である。
【００２４】
スライドスロット２２２は、２つの第２スライドトラック２２１間に開口し、弾性リブ５６に突出するバンプ５６１を受け入れる受容スロット２２４は、上ケース２２に開口し、受容スロット２２４は、スライドスロット２２２の２つの端部に位置し、受容スロット２２４は、スライドスロット２２２に対して垂直である。
【００２５】
インタフェース４０と接続される回路基板２１は、接続基部５０に固定して配置される。スライドカバー８１は、そこに開口する穴部８３を有する。
【００２６】
データカード１００を組み立てるとき、インタフェース４０は、まず穴部２６を通過して回路基板２１と接続され、回路基板２１を接続基部５０に固定する。接続基部５０は、スライドレール５４を介して下ケース２４の内側において第１スライドトラック２４１にスライド可能に配置されている。このため、回路基板２１を接続基部５０に固定しているので、接続基部５０がスライドレール５４に沿ってスライドする工程中に、回路基板２１と接続されるインタフェース４０は、同様にスライドし、このため、インタフェース４０は、穴部２６から外に延出する、またはケース２０内に引き込まれる。次に、ボタン３０を弾性リブ５６の突出点５６２に配置し、留付構造を介して上ケース２２を下ケース２４に留め、さらに、ボタン３０は、スライドスロット２２２を貫通する。最後に、スライドカバー８１のスライドブロック８１１は、第２スライドトラック２２１を貫通し、スライドブロック８１１を小穴部５２４に留め、ボタン３０は、スライドカバー８１の穴部８３に位置する。
【００２７】
弾性リブ５６に突出するバンプ５６１は、スライドスロット２２２の端部において受容スロット２２４に受け入れられる。
【００２８】
留意すべきことは、上述がデータカード１００を組み立てる一実施形態であり、他の組立方法が同様に利用可能であり、本発明をそこに限定しないことである。
【００２９】
以下、図６を参照すると、指紋認証データカードの運動を示す。インタフェース４０は、ケース２０内に引き込まれているとみなされ、指紋認証器６０をスライドカバー８１の下に隠している、すなわち、データカード１００は、使用されない状態にある。データカード１００をユーザによって使用する、すなわち、データカード１００を電子デバイス（例えばノートブックまたはネットブック）に挿入する場合、ボタン３０を押圧するために外力を掛け、スライドカバー８１をスライドさせ、このため、受容スロット２２４内に受け入れられているバンプ５６１は、受容スロット２２４から逸脱し、スライドカバー８１が移動すると、接続基部５０は、スライドさせられ、インタフェース４０は、穴部２６から外方に移動し、弾性リブ５６に突出するバンプ５６１をスライドスロット２２２の他端部において受容スロット２２４に受け入れさせると、バンプ５６１は、受容スロット２２４に留められ、一方では、インタフェース４０は、穴部２６から外に延出する。このため、図７を参照すると、ユーザは、インタフェース４０を電子デバイスの対応するインタフェースに挿入できる。
【００３０】
第２実施方法に関しては、分かることは、指紋認証器６０をスライドカバー８１の下に隠し、一方では、インタフェース４０をケース２０内に位置することである。ボタン３０を押圧してスライドカバー８１をスライドさせると、指紋認証器６０は、外気にさらされ、インタフェース４０は、穴部２６から外に延出する。このため、スライドカバー８１は、指紋認証器６０を遮蔽して塵埃が入ることを防止する。さらと接続基部５０、接続基部５０に固定して配置されている回路基板２１及び回路基板２１と接続されるインタフェース４０を介して、スライドカバー８１をスライドすると、インタフェース４０は、穴部２６から外に延出させられ、またはケース２０内に引き込まされ、このため、塵埃がインタフェース４０に入ることを防止し、インタフェース４０に対してより良好な防止をもたらす。
【００３１】
実施方法３
図８を参照すると、上ケース２２は、そこに開口するスライドトラックスロット２２７を有し、スライドカバー８１は、その２つの側面において突出するスライドバー８１５を有し、スライドバー８１５は、スライドトラックスロット２２７に埋め込まれており、スライドバー８１５は、スライドトラックスロット２２７に対してスライドする。
【００３２】
再び図８を参照すると、さらに、データカードは、ボタン３０及び接続基部５０をさらに有する。下ケース２４は、それぞれその内側面において開口する第１スライドスロット２４６を有し、上ケース２２は、そこに開口するスライドスロット２２２を有し、上ケース２２は、そこに開口する受容スロット２２４を有し、受容スロット２２４は、スライドスロット２２２の２つの端部に位置する。接続基部５０は、基部５２と、基部５２の２つの側面に沿って外方に突出するスライドレール５７と、を有する。基部５２は、そこに開口する弾性リブ５６を有し、弾性リブ５６は、そこに突出するバンプ５６１を有し、ボタン３０は、バンプ５６１に配置され、スライドカバー８１は、そこに開口する穴部８３を有し、ボタン３０は、スライドスロット２２２を貫通しかつスライドカバー８１の穴部８３に位置する。バンプ５６１は、スライドスロット２２２の一端部において受容スロット２２４に受け入れられ、スライドレール５７は、第１スライドスロット２４６にスライド可能に配置されている。
【００３３】
第３実施方法におけるデータカードの組立及び運動に関しては、第２実施方法を参照し、ここでは繰り返さない。
【００３４】
理解すべきことは、第３実施方法で言及されているように、下ケース２４がそれぞれその内側面において開口する第１スライドスロット２４６を有し、接続基部５０が基部５２と基部５２の２つの側面に沿って外方に突出するスライドレール５７とを有し、スライドレール５７が第１スライドスロット２４６にスライド可能に配置されているが、以下の方法を適用することによっても実施されることである。
【００３５】
下ケースは、それぞれその内側面において配置された第１突出バーを有し、接続基部は、基部と基部の２つの側面に沿って内方に凹む第１スライドトラックとを有し、第１突出バーは、第１スライドトラックにスライド可能に配置される。この方法において、接続基部は、同様に、下ケースに対してスライドする。
【００３６】
理解すべきことは、実施形態において、上ケース２２が同様に以下の方法を介して下ケース２４に留められることである。突出点は、下ケース２４の内側面において配置され、穴部を有するクランプ片は、上ケース２２から外に延出する。上ケース２２を下ケース２４に留めると、穴部を有するクランプ片は、突出点において留められ、上ケース２２は、下ケース２４に留められる。明らかに、本発明は、上ケース２２と下ケース２４とを共に留める方法に限定しない。
【００３７】
一実施形態において、本発明は、電子デバイスをさらに提供する。電子デバイスは、データカード１００を有し、データカード１００は、ケース２０、ケース内に位置する回路基板２１、インタフェース４０及び指紋認証器６０を有する。ケース２０は、穴部２６を有し、インタフェース４０は、穴部２６を通過し、インタフェース４０は、ケース２０内に配置され、ケース２０内の回路基板にあるプロセッサと接続され、データカード１００は、インタフェース４０を介して電子デバイスと接続される。
【００３８】
上述から分かることは、データカードを使用する前に、ユーザが指紋認証器を介して指紋を入力する必要があり、ユーザが認証を経た後にのみデータカードを使用できることである。指紋認証の安全性がパスワード認証の安全性よりもずっと高いので、データカードを使用する安全性は、さらに改善される。
【００３９】
電子デバイスは、コンピュータ、ノートブックもしくはネットブックまたはデータカードを挿入する無線端末であり、これは、本発明では限定されない。
【００４０】
理解すべきことは、電子デバイス内のデータカード１００が図１から図８に示すデータカードであってもよいことであり、図１から図８の説明を参照し、本発明の電子デバイスをここでは繰り返さない。
【００４１】
上記全ての実施形態に関して、インタフェース４０は、ＰＣＭＣＩＡインタフェース、ＵＳＢインタフェース、ＥＸＰＲＥＳＳ３４インタフェース及びＣＦインタフェースを含むが、これに限定されない。
【００４２】
上記全ての実施形態に関して、図９を参照すると、プロセッサ９０は、指紋認証モジュール９２と、制御モジュール９４と、を有する。
【００４３】
指紋認証モジュール９２は、収集した指紋情報を記録している指紋テンプレートと比較し、比較結果を出力するように構成されている。
【００４４】
制御モジュール９４は、収集した指紋情報が指紋テンプレートと一致すると、データカードを使用してネットワークにアクセスすることを許可する。
【００４５】
指紋情報は、指紋認証器６０によって収集される。
【００４６】
留意すべきことは、実施形態中の「第１」「第２」などが図面中の要素を区別するために付けられており、本発明を限定するために使用されていないことである。
【００４７】
さらに、第１実施方法及び第２実施方法におけるスライドカバー８１は、図示及び定義を容易にするために同一の参照符号を適用しているが、構造が異なるスライドカバーを用いてもよく、本発明を限定しない。
【００４８】
上記説明は、単に本発明のいくつかの実施形態であり、当業者は、本発明の原理から逸脱することなく、本願の明細書にしたがってさまざまな改変または変形をなしてもよい。
【符号の説明】
【００４９】
２０  ケース、２１  回路基板、２２  上ケース、２４  下ケース、２６  穴部、３０  ボタン、４０  インタフェース、５４  スライドレール，レール、５６  弾性リブ、５７  スライドレール、６０  指紋認証器、８１  スライドカバー、８３  穴部、９０  プロセッサ、９２  指紋認証モジュール、９４  制御モジュール、１００  データカード、２２１  スライドトラック、２２２  スライドスロット、２２４  受容スロット、２２５  キャビティ、２２７  スライドトラックスロット、２４１  スライドトラック、２４６  スライドスロット、５２４  小穴部、５６１  バンプ、８１１  スライドブロック、８１５  スライドバー
【図１】
0005441079.tif 000002
【図２】
0005441079.tif 000003
【図３】
0005441079.tif 000004
【図４】
0005441079.tif 000005
【図５】
0005441079.tif 000006
【図６】
0005441079.tif 000007
【図７】
0005441079.tif 000008
【図８】
0005441079.tif 000009
【図９】
0005441079.tif 000010